(57)【特許請求の範囲】
【請求項１】
複数の画素が平行方向および垂直方向に沿ってマトリクス状に配置された画素領域を有する第１の基板と、
前記第１の基板と対向して配置される第２の基板と、
前記第１の基板と前記第２の基板間に配置された液晶層と、
前記第１の基板についての前記第２の基板側の主面に形成され、前記平行方向に沿った当該主面の縁部に各々の駆動端子が並べて配列される複数の金属配線と、
前記第１の基板および前記第２の基板のうち少なくとも前記第１の基板において、前記複数の金属配線の上に配置された有機膜と、
前記第１の基板と前記第２の基板の二つの基板のうち少なくとも前記第１の基板において前記有機膜の上に配置され、液晶に電圧を印加するための透明導電部と、
前記第１の基板と前記第２の基板との周縁部において当該二つの基板を固定するための封止領域と、
前記封止領域の封止領域最外端より内側で、前記画素領域の外周端より外側において、前記有機膜を除去することにより形成された複数の有機膜除去領域と
を有し、
前記複数の有機膜除去領域は、
前記画素領域と前記縁部との間において前記平行方向にずらして並べられた複数の有機膜除去領域として、前記有機膜を除去した部分において前記複数の金属配線が露出しないように、前記複数の金属配線の間において前記有機膜を除去することにより形成された複数の有機膜除去領域と、
前記画素領域の垂直方向の縁に沿って、前記画素領域の垂直方向の全長にわたる長さで前記有機膜を除去することにより形成された有機膜除去領域と
を含み、
これにより前記有機膜を除去した部分の全体が前記画素領域を取り囲むように形成されている
液晶表示装置。
【請求項２】
前記画素領域と前記縁部との間における前記複数の有機膜除去領域の一部は、
前記金属配線と重なる前記有機膜を、当該金属の端面を残して除去することにより形成され、
前記有機膜が除去された金属配線は、
前記有機膜が除去されることにより露出する表面部分に、前記透明導電部に対するバリアメタル層を有する
請求項１記載の液晶表示装置。
【請求項３】
透明導電部は、ＩＴＯ膜である
請求項１または２記載の液晶表示装置。
【請求項４】
前記透明導電部は、画素電極および対向電極を含む
請求項１から３のいずれか一項記載の液晶表示装置。
【請求項５】
前記第１の基板および前記第２の基板の両基板に第１および第２の前記有機膜が配置され、
前記有機膜除去領域は、
前記第１の有機膜および前記第２の有機膜のうちの少なくとも前記第１の有機膜に形成されている
請求項１から４のいずれか一項記載の液晶表示装置。
【請求項６】
液晶表示装置を有する電子機器であって、
前記液晶表示装置は、
複数の画素が平行方向および垂直方向に沿ってマトリクス状に配置された画素領域を有する第１の基板と、
前記第１の基板と対向して配置される第２の基板と、
前記第１の基板と前記第２の基板間に配置された液晶層と、
前記第１の基板についての前記第２の基板側の主面に形成され、前記平行方向に沿った当該主面の縁部に各々の駆動端子が並べて配列される複数の金属配線と、
前記第１の基板および前記第２の基板のうち少なくとも前記第１の基板において、前記複数の金属配線の上に配置された有機膜と、
前記第１の基板と前記第２の基板の二つの基板のうち少なくとも前記第１の基板において前記有機膜の上に配置され、液晶に電圧を印加するための透明導電部と、
前記第１の基板と前記第２の基板との周縁部において当該二つの基板を固定するための封止領域と、
前記封止領域の封止領域最外端より内側で、前記画素領域の外周端より外側において、前記有機膜を除去することにより形成された複数の有機膜除去領域と
を有し、
前記複数の有機膜除去領域は、
前記画素領域と前記縁部との間において前記平行方向にずらして並べられた複数の有機膜除去領域として、前記有機膜を除去した部分において前記複数の金属配線が露出しないように、前記複数の金属配線の間において前記有機膜を除去することにより形成された複数の有機膜除去領域と、
前記画素領域の垂直方向の縁に沿って、前記画素領域の垂直方向の全長にわたる長さで前記有機膜を除去することにより形成された有機膜除去領域と
を含み、
これにより前記有機膜を除去した部分の全体が前記画素領域を取り囲むように形成されている
電子機器。
【請求項７】
前記画素領域と前記縁部との間における前記複数の有機膜除去領域の一部は、
前記金属配線と重なる前記有機膜を、当該金属の端面を残して除去することにより形成され、
前記有機膜が除去された金属配線は、
前記有機膜が除去されることにより露出する表面部分に、前記透明導電部に対するバリアメタル層を有する
請求項６記載の電子機器。
【請求項８】
透明導電部は、ＩＴＯ膜である
請求項６または７記載の電子機器。
【請求項９】
前記透明導電部は、画素電極および対向電極を含む
請求項６から８のいずれか一項記載の電子機器。
【請求項１０】
前記第１の基板および前記第２の基板の両基板に第１および第２の前記有機膜が配置され、
前記有機膜除去領域は、
前記第１の有機膜および前記第２の有機膜のうちの少なくとも前記第１の有機膜に形成されている
請求項６から９のいずれか一項記載の電子機器。
【発明の詳細な説明】
【技術分野】
【０００１】
本発明は、平坦化層としての有機膜を有する液晶表示装置および電子機器に関するものである。
【背景技術】
【０００２】
液晶表示装置は、薄型で低消費電力であるという特徴を生かして、幅広い電子機器の表示装置として用いられている。たとえば、ノート型パーソナルコンピュータ、カーナビゲーション用の表示装置、携帯情報端末（Personal Digital Assistant：ＰＤＡ）、携帯電話、デジタルカメラ、ビデオカメラ等の液晶表示装置を用いた電子機器がある。
【０００３】
図１（Ａ）〜（Ｃ）は一般的な液晶表示装置の構成を示す図であって、図１（Ａ）はデバイス構造の断面図であり、図１（Ｂ）はＴＦＴ基板側の平面図であり、図１（Ｃ）は対向基板側の平面図である。
【０００４】
液晶表示装置１は、アレイ基板（アクティブ素子が形成される基板）２と、アレイ基板１１に対向配置される透明な対向基板３と、２つの基板２，３間に配置された液晶層４とを備えている。
【０００５】
アレイ基板２には、液晶に電圧を印加するための透明電極（画素電極）２１と、その透明電極２１を選択するための薄膜トランジスタ（ＴＦＴ；Thin Film Transistor）２２を含む画素がマトリクス状に配置され、画素領域ＰＸＬＡが形成されている。
そして、この薄膜トランジスタ上の段差を軽減するために、アレイ基板２上の薄膜トランジスタ２２と透明電極２１との間には有機膜からなる平坦化層２３が形成されている。
【０００６】
対向基板３には、アレイ基板２の画素ＰＸＬに対応した黒（ＢＫ）、赤（Ｒ）、緑（Ｇ）、青（Ｂ）などからなるカラーフィルタ部３１が形成され、カラーフィルタ部３１上の段差を軽減するための有機膜からなる平坦化層３２が形成されている。
平坦化層３２の液晶層４と面する側に液晶に電圧を印加するための透明電極３３が形成されている。
そして、この２つのアレイ基板２と対向基板３を固定し、液晶を封入するために、画素ＰＸＬが形成されている画素領域ＰＸＬＡを取り囲むように封止領域５が形成されている。
【０００７】
このように、一般的な液晶表示装置１においては、互いに対向する２つの基板のうち、アレイ基板２には、アレイ駆動端子を含む金属配線２４、トランジスタ２２、透明電極（透明導電膜２１等の構造物が配置される。一方、対向基板３には色を表示するためのカラーフィルタなどの構造物が配置される。
そして、これらの構造物により、基板最表面に段差が発生することにより、面内の液晶の基板間距離の変化により、画素の一部の液晶光学特性のズレ、コントラストといった画品位が低下する。
これらを防ぐために、前記配線など段差の平坦化等を目的とした有機膜による平坦化層が基板側に形成されている。
また、有機膜は液晶表示装置の２枚の基板を固定および液晶を表示装置に閉じ込めておくための封止領域から外まで有機膜を伸ばすことにより液晶表示装置の光学特性の面内均一性を向上が図れる。
【発明の開示】
【発明が解決しようとする課題】
【０００８】
ところが、平坦化剤として使用する有機膜は0.数％〜数％程度の量水分を含むことができる。
そのため、有機膜を基板上に形成することにより、有機平坦化層を介して液晶表示装置の液晶部分に水分やガスが入り込んできていた。このため液晶表示装置の高湿時の信頼性の低下を招くという不利益がある。
【０００９】
本発明は、有機系平坦化膜を介しての水分侵入を抑止でき、信頼性の向上を図れ、高品位な画質を安定して得ることができる液晶表示装置および電子機器を提供することにある。
【課題を解決するための手段】
【００１０】
本発明の第１の観点の表示装置は、複数の画素が平行方向および垂直方向に沿ってマトリクス状に配置された画素領域を有する第１の基板と、前記第１の基板と対向して配置される第２の基板と、前記第１の基板と前記第２の基板間に配置された液晶層と、前記第１の基板についての前記第２の基板側の主面に形成され、前記平行方向に沿った当該主面の縁部に各々の駆動端子が並べて配列される複数の金属配線と、前記第１の基板および前記第２の基板のうち少なくとも前記第１の基板において、前記複数の金属配線の上に配置された有機膜と、前記第１の基板と前記第２の基板の二つの基板のうち少なくとも前記第１の基板において前記有機膜の上に配置され、液晶に電圧を印加するための透明導電部と、前記第１の基板と前記第２の基板との周縁部において当該二つの基板を固定するための封止領域と、前記封止領域の封止領域最外端より内側で、前記画素領域の外周端より外側において、前記有機膜を除去することにより形成された複数の有機膜除去領域とを有し、前記複数の有機膜除去領域は、前記画素領域と前記縁部との間において前記平行方向にずらして並べられた複数の有機膜除去領域として、前記有機膜を除去した部分において前記複数の金属配線が露出しないように、前記複数の金属配線の間において前記有機膜を除去することにより形成された複数の有機膜除去領域と、前記画素領域の垂直方向の縁に沿って、前記画素領域の垂直方向の全長にわたる長さで前記有機膜を除去することにより形成された有機膜除去領域とを含み、これにより前記有機膜を除去した部分の全体が前記画素領域を取り囲むように形成されている。
【００１１】
好適には、前記画素領域と前記縁部との間における前記複数の有機膜除去領域の一部は、前記金属配線と重なる前記有機膜を、当該金属の端面を残して除去することにより形成され、前記有機膜が除去された金属配線は、前記有機膜が除去されることにより露出する表面部分に、前記透明導電部に対するバリアメタル層を有してもよい。
【００１２】
好適には、透明導電部は、ＩＴＯ膜でもよい。
【００１３】
好適には、前記透明導電部は、画素電極および対向電極を含んでもよい。
【００１４】
好適には、前記第１の基板および前記第２の基板の両基板に第１および第２の前記有機膜が配置され、前記有機膜除去領域は、前記第１の有機膜および前記第２の有機膜のうちの少なくとも前記第１の有機膜に形成されていてもよい。
【００１５】
本発明の第２の観点の電子機器は、液晶表示装置を有する電子機器であって、前記液晶表示装置は、複数の画素が平行方向および垂直方向に沿ってマトリクス状に配置された画素領域を有する第１の基板と、前記第１の基板と対向して配置される第２の基板と、前記第１の基板と前記第２の基板間に配置された液晶層と、前記第１の基板についての前記第２の基板側の主面に形成され、前記平行方向に沿った当該主面の縁部に各々の駆動端子が並べて配列される複数の金属配線と、前記第１の基板および前記第２の基板のうち少なくとも前記第１の基板において、前記複数の金属配線の上に配置された有機膜と、前記第１の基板と前記第２の基板の二つの基板のうち少なくとも前記第１の基板において前記有機膜の上に配置され、液晶に電圧を印加するための透明導電部と、前記第１の基板と前記第２の基板との周縁部において当該二つの基板を固定するための封止領域と、前記封止領域の封止領域最外端より内側で、前記画素領域の外周端より外側において、前記有機膜を除去することにより形成された複数の有機膜除去領域とを有し、前記複数の有機膜除去領域は、前記画素領域と前記縁部との間において前記平行方向にずらして並べられた複数の有機膜除去領域として、前記有機膜を除去した部分において前記複数の金属配線が露出しないように、前記複数の金属配線の間において前記有機膜を除去することにより形成された複数の有機膜除去領域と、前記画素領域の垂直方向の縁に沿って、前記画素領域の垂直方向の全長にわたる長さで前記有機膜を除去することにより形成された有機膜除去領域とを含み、これにより前記有機膜を除去した部分の全体が前記画素領域を取り囲むように形成されている。
【００１６】
好適には、前記画素領域と前記縁部との間における前記複数の有機膜除去領域の一部は、前記金属配線と重なる前記有機膜を、当該金属の端面を残して除去することにより形成され、前記有機膜が除去された金属配線は、前記有機膜が除去されることにより露出する表面部分に、前記透明導電部に対するバリアメタル層を有してもよい。
【００１７】
好適には、前記透明導電部は、ＩＴＯ膜でもよい。
【００１８】
好適には、前記透明導電部は、画素電極および対向電極を含んでもよい。
【００１９】
好適には、前記第１の基板および前記第２の基板の両基板に第１および第２の前記有機膜が配置され、前記有機膜除去領域は、前記第１の有機膜および前記第２の有機膜のうちの少なくとも前記第１の有機膜に形成されてもよい。
【００２１】
本発明によれば、基板の外側より有機膜を伝って入ってきた水分は有機膜が除去されているため、この除去されている方向よりはさらに内部に侵入することはできない。
【発明の効果】
【００２２】
本発明によれば、有機膜を介しての水分侵入を抑止でき、信頼性の向上を図れ、高品位な画質を安定して得ることができる。
【発明を実施するための最良の形態】
【００２３】
以下、本発明の実施形態を図面に関連付けて説明する。
【００２４】
＜第１実施形態＞
図２（Ａ）〜（Ｃ）は、本発明の第１の実施形態に係るアクティブマトリクス型液晶表示装置の構成を示す図である。図２（Ａ）はデバイス構造の断面図であり、図２（Ｂ）はＴＦＴ基板側の平面図であり、図２（Ｃ）は対向基板側の平面図である。
【００２５】
本実施形態に係る液晶表示装置（ＬＣＤ）１０は、図２（Ａ）〜（Ｃ）に示すように、第１の基板としてのアレイ基板（アクティブ素子が形成される基板）１１と、アレイ基板１１に対向配置される透明な第２の基板としての対向基板１２と、アレイ基板１１と対向基板１２間に配置された液晶層１３とを備えている。
【００２６】
アレイ基板１１は、たとえば透過型の場合、石英基板、反射型の場合、たとえばシリコン材料の基板により形成される。対向基板１２は、たとえばガラス基板や石英基板により形成される。
【００２７】
アレイ基板１１には、液晶に電圧を印加するための透明電極（画素電極、透明導電膜）１１１が形成され、その透明電極１１１を選択するための薄膜トランジスタ（ＴＦＴ）１１２を含む画素ＰＸＬがマトリクス状に配置され、画素領域ＰＸＬＡ１０が形成されている。
そして、この薄膜トランジスタ１１２上の段差を軽減するために、アレイ基板１１上の薄膜トランジスタ１１２と透明電極１１１との間には第１の有機膜からなる平坦化層１１３が形成されている。
【００２８】
対向基板１２には、アレイ基板１１の画素ＰＸＬに対応した黒（ＢＫ）、赤（Ｒ）、緑（Ｇ）、青（Ｂ）などからなるカラーフィルタ部１２１が形成され、カラーフィルタ部１２１上の段差を軽減するための第２の有機膜からなる平坦化層１２２が形成されている。
平坦化層１２２２の液晶層１３と面する側に液晶に電圧を印加するための透明電極１２３が形成されている。
そして、この２つのアレイ基板１１と対向基板１２を固定し、液晶を封入するために、画素ＰＸＬが形成されている画素領域ＰＸＬＡ１０を取り囲むように所定のシール材による封止領域１４が形成されている。
【００２９】
透明電極１１１，１２３は、たとえばIＴＯ膜（インジウム・ティン・オキサイド膜）などの透明導電性薄膜により形成される。
【００３０】
以上の構成要素によりＬＣＤパネル２０が形成されている。
ＬＣＤパネル２０を構成するアレイ基板１１の一縁部には、金属配線を含むアレイ駆動端子２１０が形成されている。
【００３１】
そして、本実施形態に係る液晶表示装置１０は、アレイ基板１１および対向基板１２、あるいは、アレイ基板１１または対向基板１２の有機膜からなる平坦化層の形状に特徴を有する。
【００３２】
本第１の実施形態においては、アレイ基板１１側の平坦化層１１３を形成する有機膜を封止領域１４の封止領域最外端ＴＯＳより内側で、画素領域ＰＸＬＡ１０の外周端ＴＯＰより外側にて、アレイ基板１１の主面１１ａに対して平行方向の一部（図２中に設定したＸＹ座標のＸ方向）、並びに、アレイ基板１１の主面１１ａに対して垂直方向（図２中に設定したＸＹ座標のＹ方向）のすべてを除去した有機膜除去領域１３１１が形成されている。
【００３３】
同様に、本第１の実施形態においては、対向基板１２側の平坦化層１２２を形成する有機膜を封止領域１４の封止領域最外端ＴＯＳより内側で、画素領域ＰＸＬＡ１０の外周端ＴＯＰより外側にて、対向基板１２の主面１２ａ（アレイ基板１１の主面１１ａ）に対して平行方向の一部（図２中に設定したＸＹ座標のＸ方向）、並びに、対向基板１２の主面１２ａ（アレイ基板１１の主面１１ａ）に対して垂直方向（図２中に設定したＸＹ座標のＹ方向）のすべてを除去した有機膜除去領域１２２１が形成されている。
【００３４】
本第１の実施形態においては、有機膜除去領域１１３１，１２２１は、図２（Ｂ）および図２（Ｃ）に示すように、画素領域ＰＸＬＡ１０の全外周を取り囲むように連続的に形成されている。
すなわち、アレイ基板１１側において、画素領域ＰＸＬＡ１０の４つの縁(辺)部に対向する有機膜除去領域１１３１−１，１１３１−２，１１３１−３，１１３１−４が連通するように連続的に形成されている。
同様に、対向基板１２側において、画素領域ＰＸＬＡ１０に対向するカラーフィルタ部１２１の４つの縁(辺)部に対向する有機膜除去領域１２２１−１，１２２１−２，１２２−３，１２２１−４が連通するように連続的に形成されている。
【００３５】
このように、本第１の実施形態においては、封止領域１４の封止領域最外端ＴＯＳより内側で、画素領域ＰＸＬＡ１０の外周端ＴＯＰより外側にて、アレイ基板１１および対向基板１２において平坦化層１１３，１２２を形成する有機膜を除去した有機膜除去領域１１３１，１２２１が形成されていることから、基板の外側より有機膜を伝って入ってきた水分は有機膜が除去されているため、この除去されている方向よりはＬＣＤパネル２０内に侵入することはできない。
また、この有機膜の除去領域を、画素領域ＰＸＬＡ１０を取り囲むように全周にすることによりＬＣＤパネル２０内に入る水分を効果的に抑えることができる。
そして、封止領域１４の最外端ＴＯＳの部分よりも内側にこの有機膜除去領域１１３１，１２２１を形成することにより、アレイ、カラーフィルタそれぞれの基板を支える封止領域１４下の高さを画素領域とそろえることができる。このことは液晶パネルの画品位向上をもたらす。
【００３６】
以上説明したように、本第１の実施形態によれば、画素ＰＸＬがマトリクス状に配置された画素領域ＰＸＬＡ１０を有するアレイ基板（第１の基板）１１と、アレイ基板１１と対向して配置される対向基板（第２の基板）１２と、アレイ基板１１と対向基板１２間に配置された液晶層１３と、２つのアレイ基板１１と対向基板１２を固定し、液晶を封入するために、画素ＰＸＬが形成されている画素領域ＰＸＬＡ１０を取り囲むように所定のシール材による封止領域１４と、を有している。
そして、アレイ基板１１には、液晶に電圧を印加するための透明電極（画素電極）１１１が形成され、その透明電極１１１を選択するための薄膜トランジスタ（ＴＦＴ）１１２を含む画素ＰＸＬがマトリクス状に配置され、画素領域ＰＸＬＡ１０が形成され、アレイ基板１１上の薄膜トランジスタ１１２と透明電極１１１との間には有機膜からなる平坦化層１１３が形成され、対向基板１２には、アレイ基板１１の画素ＰＸＬに対応したカラーフィルタ部１２１が形成され、カラーフィルタ部１２１上の段差を軽減するための有機膜からなる平坦化層１２２が形成され、平坦化層１２２２の液晶層１３と面する側に液晶に電圧を印加するための透明電極１２３が形成されており、封止領域１４の封止領域最外端ＴＯＳより内側で、画素領域ＰＸＬＡ１０の外周端ＴＯＰより外側にて、アレイ基板１１および対向基板１２において平坦化層１１３，１２２を形成する有機膜を除去した有機膜除去領域１１３１，１２２１が形成されていることから、有機系平坦化膜を介しての水分侵入を抑止でき、信頼性の向上を図れ、高品位な画質を安定して得ることができる。
【００３７】
＜第２実施形態＞
図３（Ａ）〜（Ｃ）は、本発明の第２の実施形態に係るアクティブマトリクス型液晶表示装置の構成を示す図である。図３（Ａ）はデバイス構造の断面図であり、図３（Ｂ）はＴＦＴ基板側の平面図であり、図３（Ｃ）は対向基板側の平面図である。
【００３８】
本第２の実施形態に係る液晶表示装置１０Ａが第１の実施形態に係る液晶表示装置１０と異なる点は、広い視野角を確保するためにＦＦＳ(Fringe Field Switching)構造を有する液晶表示装置として構成されている。
【００３９】
すなわち、液晶表示装置１０Ａは、対向基板１２Ａ側には対向透明電極が配置されず、アレイ基板１１Ａ側に配置されている。
具体的には、アレイ基板１１Ａ側において、有機膜から平坦化層１１３Ａ上に対向電極１１４が形成され、この対向電極１１４上に画素絶縁膜１１５が形成され、この画素絶縁膜１１５上の液晶層１３との界面側に画素電極（透過型の場合、透明電極）１１１が形成されている。
【００４０】
このように、液晶表示装置１０Ａは、アレイ基板１１Ａに画素電極１１１、その画素電極１１１と画素絶縁膜１１５を挟むように対向電極１１４を有し、アレイ基板１１Ａの主面１１ａに略平行な電界により液晶を駆動する画素構造を有している。
この場合も、第１の実施形態と同様に、封止領域１４の封止領域最外端ＴＯＳより内側で、画素領域ＰＸＬＡ１０の外周端ＴＯＰより外側にて、アレイ基板１１および対向基板１２において平坦化層１１３，１２２を形成する有機膜を除去した有機膜除去領域１１３１，１２２１が形成されている。
その結果、基板の外側より有機膜を伝って入ってきた水分は有機膜が除去されているため、この除去されている方向よりはＬＣＤパネル２０内に侵入することはできない。
この有機膜の除去領域を、画素領域ＰＸＬＡ１０を取り囲むように全周にすることによりＬＣＤパネル２０内に入る水分を効果的に抑えることができる。
【００４１】
このように、ＦＦＳ構造を有する液晶表示装置１０Ａに有機膜除去領域１１３１，１２２１を適用した場合でも、上述した第１の実施形態と同様に効果を得ることができる。
【００４２】
＜第３実施形態＞
図４（Ａ）〜（Ｃ）は、本発明の第３の実施形態に係るアクティブマトリクス型液晶表示装置の構成を示す図である。図４（Ａ）はデバイス構造の断面図であり、図４（Ｂ）はＴＦＴ基板側の平面図であり、図４（Ｃ）は対向基板側の平面図である。
【００４３】
本第３の実施形態に係る液晶表示装置１０Ｂが第１の実施形態に係る液晶表示装置１０と異なる点は、有機膜除去領域がアレイ基板１１側のみ形成され、対向基板側には形成されていないことにある。
【００４４】
このように、アレイ基板１１のみに有機膜除去領域１１３１を持つ場合であっても、有機系平坦化膜を介しての水分侵入を抑止でき、信頼性の向上を図れ、高品位な画質を安定して得ることができる。
なお、アレイ基板１１のみに有機膜除去領域１１３１を持つ構成は、ＦＦＳ構造を有する液晶表示装置にも適用可能である。
【００４５】
＜第４実施形態＞
図５（Ａ）〜（Ｃ）は、本発明の第４の実施形態に係るアクティブマトリクス型液晶表示装置の構成を示す図である。図５（Ａ）はデバイス構造の断面図であり、図５（Ｂ）はＴＦＴ基板側の平面図であり、図５（Ｃ）は対向基板側の平面図である。
【００４６】
本第４の実施形態に係る液晶表示装置１０Ｃが第１の実施形態に係る液晶表示装置１０と異なる点は、有機膜除去領域が対向基板１２側のみ形成され、アレイ基板側には形成されていないことにある。
【００４７】
このように、対向基板１２のみに有機膜除去領域１２２１を持つ場合であっても、有機系平坦化膜を介しての水分侵入を抑止でき、信頼性の向上を図れ、高品位な画質を安定して得ることができる。
なお、対向基板１２のみに有機膜除去領域１２２１を持つ構成は、ＦＦＳ構造を有する液晶表示装置にも適用可能である。
【００４８】
＜第５実施形態＞
図６（Ａ）〜（Ｄ）は、本発明の第５の実施形態に係るアクティブマトリクス型液晶表示装置の構成を示す図である。図６（Ａ）はＴＦＴ基板側の平面図であり、図６（Ｂ）〜（Ｄ）は非連続の有機膜除去領域同士の配置関係を拡大して示す図である。
【００４９】
本第５の実施形態に係る液晶表示装置１０Ｄが上述した第１〜第３の実施形態に係る液晶表示装置１０，１０Ａ〜１０Ｃと異なる点は、有機膜除去領域１１３１Ｄを、画素領域ＰＸＬＡ１０を取り囲むように全周にわたって連続的に完全な環状として形成する代わりに、一部を非連続となるように形成したことにある。
【００５０】
この例では、アレイ駆動端子２１０と対向しない画素領域ＰＸＬＡ１０の３つの縁(辺)部に対向する有機膜除去領域１１３１Ｄ−１，１１３１Ｄ−２，１１３１３−３は連続的に形成され、アレイ駆動端子２１０側の画素領域ＰＸＬＡ１０の１つの縁(辺)部に対向する有機膜除去領域１１３１Ｄ−４が、２つの非連続の有機膜除去領域１１３１Ｄ−４１，１１３１Ｄ−４２に分割されている。
【００５１】
分割された有機膜除去領域１１３１Ｄ−４１の一端部（図中の左端部）と有機膜除去領域１１３１Ｄ−４２の一端部(図中の右端部)は、所定の間隙をおいて重畳するように形成されている。これにより、水分やガスが画素領域ＰＸＬＡ１０に直接的に侵入しにくくなっている。
また、分割された有機膜除去領域１１３１Ｄ−４１の他端部(図中で右端部)と有機膜除去領域１１３１Ｄ−１の側部とが所定の間隙をおいて形成されている。これにより、水分やガスが画素領域ＰＸＬＡ１０に直接的に侵入しにくくなっている。
また、分割された有機膜除去領域１１３１Ｄ−４２の他端部(図中で左端部)と有機膜除去領域１１３１Ｄ−３の端部とが所定の間隙をおいて形成されている。これにより、水分やガスが画素領域ＰＸＬＡ１０に直接的に侵入しにくくなっている。
【００５２】
分割された有機膜除去領域１１３１Ｄ−４１の他端部(図中で右端部)と有機膜除去領域１１３１Ｄ−１の側部との非連続部分との間隙は、図６（Ｂ）に示すように、Ａ１に設定されている。
分割された有機膜除去領域１１３１Ｄ−４１の他端部(図中で右端部)と有機膜除去領域１１３１Ｄ−１の側部との間隙は、図６（Ｃ）に示すように、Ａ２に設定されている。
分割された有機膜除去領域１１３１Ｄ−４２の他端部(図中で左端部)と有機膜除去領域１１３１Ｄ−３の端部との間隙は、図６(Ｄ）に示すように、Ａ３に設定されている。
【００５３】
このように、アレイ基板１１の主面１１ａに対して垂直方向より見た場合の画素領域ＰＬＬＡ１０の全周を非連続部分同士の間隙Ａ１，Ａ２，Ａ３等が１mm以内となるように、有機膜除去領域が形成されることにより、ＬＣＤパネル２０内に入る水分を効果的に抑えることができる。
【００５４】
なお、ここでは、アレイ基板側について説明したが、本構成は対向基板１２側も同様の構成を適用することが可能である。
【００５５】
＜第６実施形態＞
図７は、本発明の第６の実施形態に係るアクティブマトリクス型液晶表示装置の構成を示す図である。
【００５６】
本第６の実施形態に係る液晶表示装置１０Ｅが上述した第１〜第３の実施形態に係る液晶表示装置１０，１０Ａ〜１０Ｃと異なる点は、画素領域ＰＸＬＡ１０を取り囲むように全周にわたって連続的に完全な環状に形成した有機膜除去領域が、２重、３重・・・と、複数重となるように形成されていることにある（図７の例は２重）。
すなわち、アレイ基板１１側の平坦化層１１３を形成する有機膜を封止領域１４の封止領域最外端ＴＯＳより内側で、画素領域ＰＸＬＡ１０の外周端ＴＯＰより外側にて、アレイ基板１１の主面１１ａに対して平行方向（図７中に設定したＸＹ座標のＸ方向）の一部が複数個所、並びに、アレイ基板１１の主面１１ａに対して垂直方向（図７中に設定したＸＹ座標のＹ方向）のすべてを除去した有機膜除去領域１３１１が形成されている。
【００５７】
図７の例では、２重の有機膜除去領域１１３１，１１３２が形成されている。
アレイ基板１１側において、画素領域ＰＸＬＡ１０の４つの縁(辺)部に対向する有機膜除去領域１１３１−１，１１３１−２，１１３１−３，１１３１−４が連通するように連続的に形成されている。
同様に、有機膜除去領域１１３１を全周にわたって取り囲むように、画素領域ＰＸＬＡ１０の４つの縁(辺)部に対向する有機膜除去領域１１３２−１，１１３２−２，１１３２−３，１１３２−４が連通するように連続的に形成されている。
【００５８】
このように、有機膜除去領域を２重、３重と増やすことで、水分の浸入抑止効果を増大させることが可能となる。
【００５９】
＜第７実施形態＞
図８は、本発明の第７の実施形態に係るアクティブマトリクス型液晶表示装置の構成を示す図である。
【００６０】
本第７の実施形態に係る液晶表示装置１０Ｆが上述した第６の実施形態に係る液晶表示装置１０Ｅと異なる点は、有機膜除去領域１１３１Ｆ，１１３２Ｆを、画素領域ＰＸＬＡ１０を取り囲むように全周にわたって連続的に完全な環状に形成する代わりに、一部を非連続となるように形成したことにある。
【００６１】
この例では、有機膜除去領域１１３２Ｆは、アレイ駆動端子２１０側の画素領域ＰＸＬＡ１０の１つの縁(辺)部に対向する有機膜除去領域１１３２Ｄ−４が、２つの非連続の有機膜除去領域１１３２Ｆ−４１，１１３１Ｆ−４２に分割されている。
また、有機膜除去領域１１３１Ｆは、アレイ駆動端子２１０側の画素領域ＰＸＬＡ１０の１つの縁(辺)部に対向する有機膜除去領域１１３１Ｆ−４が、画素領域ＰＸＬＡ１０の１つの縁(辺)部より短くかつ中央部に形成されている。
【００６２】
そして、基本的に、有機膜除去領域１１３１Ｆ−１と、有機膜除去領域１１３１Ｆ−２と、有機膜除去領域１１３１Ｆ−３と、１１３１Ｆ−４とは端部間で不連続に形成されている。
有機膜除去領域１１３１Ｆ−３の端部(図中の下端部)と分割された有機膜除去領域１１３２Ｆ−４２の一端部（図中の左端部）とが連通するように連続的に形成されている。
また、分割された有機膜除去領域１１３２Ｆ−４２の最左端部は、２重目の有機膜除去領域１１３２Ｆ−３の下端部と対向するように延長して形成されている。
有機膜除去領域１１３１Ｆ−４２の他端部（図中の右端部）と有機膜除去領域１１３２Ｆ−４１の一端部(図中の左端部)とが所定の間隙をおいて形成されている。
有機膜除去領域１１３１Ｆ−４と、非連続に形成された有機膜除去領域１１３２Ｆ−４１および１１３２Ｆ−４２と所定の間隙をおいて重畳するように形成されている。これにより、水分やガスが画素領域ＰＸＬＡ１０に直接的に侵入しにくくなっている。
【００６３】
有機膜除去領域１１３２Ｆ−４１の他端部(図中の右端部)は、有機膜除去領域１１３１Ｆ−１の下端部および有機膜除去領域１１３２Ｆ−１の側部と所定の間隙をおいて非連続に形成されている。
有機膜除去領域１１３２Ｆ−３の上端部と有機膜除去領域１１３２−２の一端部(図中の左端部)は連通するように連続的に形成されている。
有機膜除去領域１１３２Ｆ−２の他端部（図中の右端部）と有機膜除去領域１１３２Ｆ−１の上端部とは所定の間隙をおいて非連続に形成されている。
【００６４】
このように、アレイ基板１１の主面１１ａに対して垂直方向より見た場合の画素領域ＰＬＬＡ１０の全周を非連続部分同士の間隙が１mm以内となるように、有機膜除去領域が形成されることにより、ＬＣＤパネル２０内に入る水分を効果的に抑えることができる。
【００６５】
なお、ここでは、アレイ基板側について説明したが、本構成は対向基板１２側も同様の構成を適用することが可能である。
【００６６】
＜第８実施形態＞
図９（Ａ）〜（Ｄ）は、本発明の第８の実施形態に係るアクティブマトリクス型液晶表示装置の構成を示す図である。図９（Ａ）はＴＦＴ基板側の平面図であり、図９（Ｂ）は図９（Ａ）のアレイ駆動端子部の拡大図であり、図９（Ｃ）は図９（Ｂ）の金属配線間に有機膜除去領域を有する部分の簡略断面図であり、図９（Ｄ）は図９（Ｂ）の透明電極に対してバリアメタ層を有している部分の簡略断面図である。
【００６７】
本第８の実施形態においては、液晶表示装置１０Ｇにおいて、図９（Ｃ）に示すように、金属配線２１１間、無機膜上の有機膜による平坦化層１１３が除去されている。
また、本第８の実施形態においては、液晶表示装置１０Ｇにおいて、金属配線２１１上の金属の端面を残し、金属上面の有機膜が除去されている。
【００６８】
アレイ基板１１の金属配線２１１上に有機膜が載っている場合、金属配線２１１の上を配線の端部が見えるように横切ることはできない。それは配線の端面に、後に形成するＩＴＯ等の透明電極が触れる場合腐食するおそれがあるからである。
腐食を回避し、水分の浸入を防ぐために、本第８の実施形態においては、図９（Ｂ），（Ｃ）に示すように、金属配線２１１間に有機膜除去領域１１３３が形成されている。
また、金属の表面部分が図９（Ｂ），（Ｄ）に示すように、透明電極に対してバリアメタル層２１２を有しているときに、金属配線２１１の上に有機膜除去領域１１３４が形成される。
金属配線端の有機膜を残しておくことによっても腐食と水分進入を防ぐ効果がある。
【００６９】
以上説明したように、本実施形態によれば、液晶表示装置内に有機膜を介して水分進入が起こることを防げる。そのため、液晶に水分が入ることを防げるため、液晶表示装置としての信頼性が向上する。
また、本実施形態によれば、アレイ基板の金属配線のレイアウトに依存することなく前記効果が得られる。
【００７０】
なお、本発明は、単純マトリクス方式、ＴＦＴアクティブマトリクス方式、ＴＦＤアクティブマトリクス方式など、旋光モード、複屈折モード、いずれの方式の液晶表示装置に適用しても、上述した効果が期待できる。
【００７１】
本実施形態に係る表示装置は、図１０に示すようにフラット型のモジュール形状のものを含む。
たとえば絶縁性の基板１１上に、液晶、薄膜トランジスタ等からなる画素をマトリックス状に集積形成した画素アレイ部を設け、この画素アレイ部（画素マトリックス部）を囲むように接着剤を配し、ガラス等の対向基板を貼り付けて表示モジュールとする。
この透明な対向基板１２には必要に応じて、前述した各実施形態のように、カラーフィルタ、保護膜、遮光膜等を設けられる。表示モジュールには、外部から画素アレイ部への信号等を入出力するためのコネクタＣＮＴとしてたとえばＦＰＣ（フレキシブルプリントサーキット）を設けてもよい。
【００７２】
以上説明した本実施形態に係る表示装置は、図１１〜図１５に示す様々な電子機器、たとえば、デジタルカメラ、ノート型パーソナルコンピュータ、携帯電話等の携帯端末装置、ビデオカメラなど、電子機器に入力された映像信号、若しくは、電子機器内で生成した映像信号を、画像若しくは映像として表示するあらゆる分野の電子機器の表示装置に適用することが可能である。
以下に、本実施形態が適用される電子機器の一例について説明する。
【００７３】
図１１は、本実施形態が適用されるテレビジョンを示す斜視図である。
本適用例に係るテレビジョン３００は、フロントパネル３２０やフィルタガラス３３０等から構成される映像表示画面部３１０を含み、その映像表示画面部３１０として本実施形態に係る表示装置を用いることにより作製される。
【００７４】
図１２は、本実施形態が適用されるデジタルカメラを示す斜視図であり、図１２（Ａ）は表側から見た斜視図、図１２（Ｂ）は裏側から見た斜視図である。
本適用例に係るデジタルカメラ３００Ａは、フラッシュ用の発光部３１１、表示部３１２、メニュースイッチ３１３、シャッターボタン３１４等を含み、その表示部５１２として本実施形態に係る表示装置を用いることにより作製される。
【００７５】
図１３は、本実施形態が適用されるノート型パーソナルコンピュータを示す斜視図である。
本適用例に係るノート型パーソナルコンピュータ３００Ｂは、本体３２１に、文字等を入力するとき操作されるキーボード３２２、画像を表示する表示部３２３等を含み、その表示部３２３として本実施形態に係る表示装置を用いることにより作製される。
【００７６】
図１４は、本実施形態が適用されるビデオカメラを示す斜視図である。
本適用例に係るビデオカメラ３００Ｃは、本体部３３１、前方を向いた側面に被写体撮影用のレンズ３３２、撮影時のスタート／ストップスイッチ３３３、表示部３３４等を含み、その表示部３３４として本実施形態に係る表示装置を用いることにより作製される。
【００７７】
図１５は、本実施形態が適用される携帯端末装置、たとえば携帯電話機を示す図であり、図１５（Ａ）は開いた状態での正面図、図１５（Ｂ）はその側面図、図１５（Ｃ）は閉じた状態での正面図、図１５（Ｄ）は左側面図、図１５（Ｅ）は右側面図、図１５（Ｆ）は上面図、図１５（Ｇ）は下面図である。
本適用例に係る携帯電話機３００Ｄは、上側筐体３４１、下側筐体３４２、連結部（ここではヒンジ部）３４３、ディスプレイ３４４、サブディスプレイ３４５、ピクチャーライト３４６、カメラ３４７等を含み、そのディスプレイ３４４やサブディスプレイ３４５として本実施形態に係る表示装置を用いることにより作製される。
【図面の簡単な説明】
【００７８】
【図１】一般的な液晶表示装置の構成を示す図である。
【図２】本発明の第１の実施形態に係るアクティブマトリクス型液晶表示装置の構成を示す図である。
【図３】本発明の第２の実施形態に係るアクティブマトリクス型液晶表示装置の構成を示す図である。
【図４】本発明の第３の実施形態に係るアクティブマトリクス型液晶表示装置の構成を示す図である。
【図５】本発明の第４の実施形態に係るアクティブマトリクス型液晶表示装置の構成を示す図である。
【図６】本発明の第５の実施形態に係るアクティブマトリクス型液晶表示装置の構成を示す図である。
【図７】本発明の第６の実施形態に係るアクティブマトリクス型液晶表示装置の構成を示す図である。
【図８】本発明の第７の実施形態に係るアクティブマトリクス型液晶表示装置の構成を示す図である。
【図９】本発明の第８の実施形態に係るアクティブマトリクス型液晶表示装置の構成を示す図である。
【図１０】フラット型のモジュール形状の例を示す模式図である。
【図１１】本実施形態が適用されるテレビを示す斜視図である。
【図１２】本実施形態が適用されるデジタルカメラを示す斜視図である。
【図１３】本実施形態が適用されるノート型パーソナルコンピュータを示す斜視図である。
【図１４】本実施形態が適用されるビデオカメラを示す斜視図である。
【図１５】本実施形態が適用される携帯端末装置、たとえば携帯電話機を示す図である。
【符号の説明】
【００７９】
１０・・・液晶表示装置、１１・・・アレイ基板、１１１・・・透明電極（画素電極、透明導電膜）、１１２・・・薄膜トランジスタ、１１３・・・有機膜からなる平坦化層、１１３１，１１３２・・・有機膜除去領域、１２・・・対向基板、１３・・・液晶層、１４・・・封止領域、３００，３００Ａ〜３００Ｄ・・・電子機器。
【図１】
0004596000.tif 000002
【図２】
0004596000.tif 000003
【図３】
0004596000.tif 000004
【図４】
0004596000.tif 000005
【図５】
0004596000.tif 000006
【図６】
0004596000.tif 000007
【図７】
0004596000.tif 000008
【図８】
0004596000.tif 000009
【図９】
0004596000.tif 000010
【図１０】
0004596000.tif 000011
【図１１】
0004596000.tif 000012
【図１２】
0004596000.tif 000013
【図１３】
0004596000.tif 000014
【図１４】
0004596000.tif 000015
【図１５】
0004596000.tif 000016